(57)【要約】【課題】鏡筒本体とその内部の光学部材等とに発生する歪を抑制することができ、顕微鏡本体に対する荷重の増大を抑制することができること。【解決手段】鏡筒８は、観察光を内部に導入する導入口１１ａと、観察光を外部へ導出する複数の導出口１１ｂ，１１ｃと、導入口１１ａから導入された観察光の光路を選択的に切り換えて観察光を導出口１１ｂ，１１ｃの少なくとも１つへ導く光路切換機構１３と、一体形成された筒状枠体であって、導入口１１ａと複数の導出口１１ｂ，１１ｃと光路切換機構１３を支持する支持部１１ｄとを前記筒状枠体の側壁中央部に有した鏡筒本体１１と、を備える。【選択図】        図２
2008191471.tif 000002
【特許請求の範囲】
【請求項１】
観察光を内部に導入する導入口と、前記観察光を外部へ導出する複数の導出口と、前記導入口から導入された前記観察光の光路を選択的に切り換えて該観察光を前記導出口の少なくとも１つへ導く光路切換機構とを備えた顕微鏡鏡筒において、
一体形成された筒状枠体であって、前記導入口と複数の前記導出口と前記光路切換機構を支持する支持部とを前記筒状枠体の側壁中央部に有した本体枠を備えたことを特徴とする顕微鏡鏡筒。
【請求項２】
前記導入口と複数の前記導出口と前記支持部とは、前記本体枠の周方向に列設されたことを特徴とする請求項１に記載の顕微鏡鏡筒。
【請求項３】
前記本体枠の長さは、前記導入口と複数の前記導出口とにおける最大開口径をもとに決定されることを特徴とする請求項１または２に記載の顕微鏡鏡筒。
【請求項４】
前記光路切換機構は、前記観察光の光路を形成する光学部材と、該光学部材を前記本体枠の中軸方向に搬送し、前記導入口に対して配置させる搬送部とを有し、
前記本体枠の長さは、前記搬送部による前記光学部材の可動範囲より短いことを特徴とする請求項１〜３のいずれか一つに記載の顕微鏡鏡筒。
【請求項５】
前記光路切換機構は、前記観察光の光路を形成する光学部材と、該光学部材を前記本体枠の中軸方向に搬送し、前記導入口に対して配置させる搬送部と、該搬送部を案内する案内部とを有し、
前記支持部は、前記案内部を支持することを特徴とする請求項１〜４のいずれか一つに記載の顕微鏡鏡筒。
【請求項６】
前記光路切換機構は、前記観察光の光路を形成する光学部材と、該光学部材を前記本体枠の中軸方向に搬送し、前記導入口に対して配置させる搬送部とを有し、
前記支持部は、前記搬送部を支持するとともに案内することを特徴とする請求項１〜４のいずれか一つに記載の顕微鏡鏡筒。
【請求項７】
前記光学部材は、前記観察光を単一の前記導出口へ導く単一光路形成部材と、前記観察光を複数の前記導出口へ導く複数光路形成部材とを含み、
前記搬送部は、前記単一光路形成部材および前記複数光路形成部材を前記導入口に対して択一的に配置させることを特徴とする請求項５または６に記載の顕微鏡鏡筒。
【発明の詳細な説明】
【技術分野】
【０００１】
本発明は、観察光を内部に導入する導入口と、前記観察光を外部へ導出する複数の導出口と、前記導入口から導入された前記観察光の光路を選択的に切り換えて該観察光を前記導出口の少なくとも１つへ導く光路切換機構とを備えた顕微鏡鏡筒に関する。
【背景技術】
【０００２】
従来、顕微鏡鏡筒として、目視観察とカメラによる観察とが自在に切替可能な３眼鏡筒がある（例えば、特許文献１および２参照）。一般に、３眼鏡筒は、顕微鏡本体上に搭載された場合に対物レンズからの観察光を内部に導入する導入口と、導入された観察光を収斂させて観察像を結像させる結像レンズと、目視観察用の双眼部または画像観察用のカメラへ観察光を導出する複数の導出口と、複数の導出口の少なくとも１つへ観察光を選択的に導く光路切換機構とを鏡筒本体に備えている。双眼部とカメラとは、それぞれ対応する導出口の周辺部で鏡筒本体に取り付けられ、その導出口と光学的に接続される。また、結像レンズは、導入口内あるいはその出口付近に設けられる。
【０００３】
【特許文献１】特開平８−１１４７４９号公報
【特許文献２】特開２００５−２２１５６０号公報
【発明の開示】
【発明が解決しようとする課題】
【０００４】
ところで、近年の顕微鏡用途の拡大にともない、カメラ以外にも種々の測定機等を３眼鏡筒上に設けて標本の観測を行う要望が高まっている。これに応じ、従来利用されていたカメラよりも重い測定機等を鏡筒本体上に搭載する必要が生じている。この場合、鏡筒本体に対してこれまで以上に大きな荷重が加わるため、鏡筒本体とその内部の光学部材等とに従来よりも大きな歪を発生させることとなり、観察像の像質を劣化させるばかりか所望の観測精度を得られない恐れがある。また、顕微鏡本体に対する荷重も増大されるため、像質の劣化と観測精度の低下とが一層増長される恐れがある。
【０００５】
本発明は、上記に鑑みてなされたものであって、鏡筒本体上の搭載機器が重量化される場合にも、鏡筒本体とその内部の光学部材等とに発生する歪を抑制することができるとともに、顕微鏡本体に対する荷重の増大を抑制することができる顕微鏡鏡筒を提供することを目的とする。
【課題を解決するための手段】
【０００６】
上述した課題を解決し、目的を達成するために、本発明にかかる顕微鏡鏡筒は、観察光を内部に導入する導入口と、前記観察光を外部へ導出する複数の導出口と、前記導入口から導入された前記観察光の光路を選択的に切り換えて該観察光を前記導出口の少なくとも１つへ導く光路切換機構とを備えた顕微鏡鏡筒において、一体形成された筒状枠体であって、前記導入口と複数の前記導出口と前記光路切換機構を支持する支持部とを前記筒状枠体の側壁中央部に有した本体枠を備えたことを特徴とする。
【０００７】
また、本発明にかかる顕微鏡鏡筒は、上記の発明において、前記導入口と複数の前記導出口と前記支持部とは、前記本体枠の周方向に列設されたことを特徴とする。
【０００８】
また、本発明にかかる顕微鏡鏡筒は、上記の発明において、前記本体枠の長さは、前記導入口と複数の前記導出口とにおける最大開口径をもとに決定されることを特徴とする。
【０００９】
また、本発明にかかる顕微鏡鏡筒は、上記の発明において、前記光路切換機構は、前記観察光の光路を形成する光学部材と、該光学部材を前記本体枠の中軸方向に搬送し、前記導入口に対して配置させる搬送部とを有し、前記本体枠の長さは、前記搬送部による前記光学部材の可動範囲より短いことを特徴とする。
【００１０】
また、本発明にかかる顕微鏡鏡筒は、上記の発明において、前記光路切換機構は、前記観察光の光路を形成する光学部材と、該光学部材を前記本体枠の中軸方向に搬送し、前記導入口に対して配置させる搬送部と、該搬送部を案内する案内部とを有し、前記支持部は、前記案内部を支持することを特徴とする。
【００１１】
また、本発明にかかる顕微鏡鏡筒は、上記の発明において、前記光路切換機構は、前記観察光の光路を形成する光学部材と、該光学部材を前記本体枠の中軸方向に搬送し、前記導入口に対して配置させる搬送部とを有し、前記支持部は、前記搬送部を支持するとともに案内することを特徴とする。
【００１２】
また、本発明にかかる顕微鏡鏡筒は、上記の発明において、前記光学部材は、前記観察光を単一の前記導出口へ導く単一光路形成部材と、前記観察光を複数の前記導出口へ導く複数光路形成部材とを含み、前記搬送部は、前記単一光路形成部材および前記複数光路形成部材を前記導入口に対して択一的に配置させることを特徴とする。
【発明の効果】
【００１３】
本発明にかかる顕微鏡鏡筒によれば、鏡筒本体上の搭載機器が重量化される場合にも、鏡筒本体とその内部の光学部材等とに発生する歪を抑制することができるとともに、顕微鏡本体に対する荷重の増大を抑制することができる。
【発明を実施するための最良の形態】
【００１４】
以下、添付図面を参照して、本発明にかかる顕微鏡鏡筒の好適な実施の形態を詳細に説明する。なお、この実施の形態によりこの発明が限定されるものではない。また、図面の記載において、同一部分には同一符号を付して示している。
【００１５】
（実施の形態）
まず、本発明の実施の形態にかかる顕微鏡鏡筒について説明する。図１は、本実施の形態にかかる顕微鏡鏡筒を用いた顕微鏡１００の要部構成を示す図である。この図に示すように、顕微鏡１００は、標本１が載置されるステージ２と、ステージホルダ３ａを介してステージ２を支持する顕微鏡本体３と、顕微鏡本体３の上部に搭載され、図示しない照明光学系が内部に設けられた中間鏡筒としての投光管４と、投光管４の後端部（図１における右端部）に取り付けられ、図示しない照明光源が内部に設けられたランプハウス５とを備えている。
【００１６】
また、顕微鏡１００は、顕微鏡本体３の前側（図１における左側）先端部に設けられたレボルバ６と、レボルバ６に対して交換可能に取り付けられた複数の対物レンズ７と、投光管４の上部に搭載された鏡筒８とを備える。鏡筒８の前面部（図１における左側面部）には、一対の接眼レンズ９ａを有した双眼部９が設けられており、鏡筒８の上面部には、図示しないカメラあるいは測定機等が接続される機器接続部１０が設けられている。
【００１７】
標本１は、顕微鏡本体３の側面部に凸設された焦準ハンドル３ｂの回動動作に連動して上下動されるステージホルダ３ａによってステージ２とともに昇降移動され、対物レンズ７に対して焦準合わせ（ピント合わせ）される。また、標本１は、図示しない平面駆動機構によって、対物レンズ７の光軸に垂直な平面内で自在に移動される。対物レンズ７は、レボルバ６の回動動作に応じて標本１上に択一的に配置される。投光管４は、ランプハウス５から供給される照明光を、内部に設けられた照明光学系によって対物レンズ７を介して標本１に照射させる。
【００１８】
対物レンズ７は、鏡筒８が内部に有する後述の結像レンズ１２（図２，３参照）と協働し、照明光学系によって照明された標本１の観察像を結像させる。その際、対物レンズ７は、標本１上の各点から発せられる観察光を集め、平行光束にして結像レンズ１２へ射出させる。結像レンズ１２は、対物レンズ７が射出させた観察光を収斂させて観察像を結像させる。この観察像は、鏡筒８から双眼部９へ導出され、左右方向（図１における紙面垂直方向）に２分割された後、接眼レンズ９ａを介して目視観察される。あるいは、鏡筒８から機器接続部１０へ導出され、図示しないカメラもしくは測定機等によって検出される。
【００１９】
つづいて、本実施の形態にかかる顕微鏡鏡筒としての鏡筒８について詳細に説明する。図２および図３は、鏡筒８の要部構成を示す図である。図２は、右側面から見た図であり、図３は、正面（図２における左側面）から見た図であって、それぞれ鏡筒８の内部構成と一部断面構成とを示している。これらの図に示すように、鏡筒８は、鏡筒本体１１、結像レンズ１２、光路切換機構１３およびカバー１４を備える。
【００２０】
本体枠としての鏡筒本体１１は、左右方向（図２における紙面垂直方向および図３における左右方向）が開口され、一体形成された筒状枠体であって、その側壁部には、結像レンズ１２を保持するとともに対物レンズ７からの観察光を結像レンズ１２を介して内部に導入する導入口１１ａと、導入された観察光を双眼部９および図示しないカメラ等へそれぞれ導出する導出口１１ｂ，１１ｃと、光路切換機構１３を支持する支持部１１ｄと、鏡筒８を投光管４上の所定位置に取り付けるための取付部１１ｅとが設けられている。
【００２１】
導入口１１ａ、導出口１１ｂ，１１ｃおよび支持部１１ｄは、側壁部上で、鏡筒本体１１の中軸方向（図２における紙面垂直方向）における中央部に設けられるとともに、鏡筒本体１１の周方向（図２における紙面に沿った外周方向）に列設されている。具体的には、鏡筒本体１１の中央横断面に沿って、図２に示すように導入口１１ａ、支持部１１ｄ、導出口１１ｂおよび導出口１１ｃがこの順で時計回りに配列されて設けられている。ここで、鏡筒本体１１の中央横断面とは、結像レンズ１２の光軸を含み、鏡筒本体１１の中軸に垂直な平面に相当する。
【００２２】
双眼部９は、入射側の先端部９ｂが導出口１１ｂの周囲に当接され、機器接続部１０は、入射側の端面１０ａが導出口１１ｃの周囲に当接されることで、それぞれ鏡筒本体１１に取り付けられて支持される。また、鏡筒８は、導入口１１ａの周囲で丸アリ状に凸設された取付部１１ｅを介して投光管４上の所定位置に取り付けられ、これによって対物レンズ７と鏡筒８と双眼部９または機器接続部１０とが光学的に接続される。
【００２３】
光路切換機構１３は、導入口１１ａおよび結像レンズ１２を介して入射した観察光を導出口１１ｂ，１１ｃへ導くための光路を形成する光学部材としてのプリズム１５Ａ〜１５Ｃと、このプリズム１５Ａ〜１５Ｃを保持するとともに鏡筒本体１１の中軸方向に搬送し、導入口１１ａおよび結像レンズ１２に対して択一的に配置させる搬送部としてのスライダ１６と、スライダ１６を支持するとともに中軸方向へ案内する案内部としてのガイド１７とを用いて構成されている。
【００２４】
プリズム１５Ａ〜１５Ｃは、それぞれ図４−１〜図４−３に示すように形成されている。すなわち、単一光路形成部材としてのプリズム１５Ａは、結像レンズ１２から入射される観察光を内部で２回反射させて導出口１１ｂへ射出させる。複数光路形成部材としてのプリズム１５Ｂは、プリズム１５ａ，１５ｂを接合して形成されており、結像レンズ１２から入射される観察光を接合面１５ｃで２分割する。分割した一方の観察光は、プリズム１５ａによって内部で２回反射されて導出口１１ｂへ射出され、他方の観察光は、プリズム１５ｂを透過して導出口１１ｃへ射出される。単一光路形成部材としてのプリズム１５Ｃは、結像レンズ１２から入射される観察光をそのまま透過させて導出口１１ｃへ射出させる。なお、プリズム１５Ａ，１５ａは、同一形状に形成されている。
【００２５】
スライダ１６は、上面部にプリズム１５Ａ〜１５Ｃを鏡筒本体１１の中軸方向に配列して保持している。スライダ１６の側面部には、中軸方向にツマミ１６ａが凸設され、底部に凸設された２つの連結部１６ｂには、円柱状のガイド１７が貫装されている。ガイド１７は、中軸方向に配された２つの支持部１１ｄに貫設され、中軸方向と平行に支持されている。このため、光路切換機構１３は、支持部１１ｄに支持され、スライダ１６は、鏡筒本体１１に対して中軸方向に移動自在とされている。スライダ１６は、ツマミ１６ａが中軸方向に押し引き操作されることで、プリズム１５Ａ〜１５Ｃを導入口１１ａおよび結像レンズ１２上に択一的に配置させる。これによって、光路切換機構１３は、導入口１１ａから導入された観察光の光路を選択的に切り換え、この観察光を導出口１１ｂ，１１ｃの少なくとも一方へ導くことができる。
【００２６】
また、光路切換機構１３は、背面側（図２における右側）に突起状ガイド１８と板バネ１９とが設けられている。突起状ガイド１８は、突起方向に形成された貫通孔１８ａ内にボール１８ｂ、バネ１８ｃおよびビス１８ｄを有し、ビス１８ｄの締付量とバネ１８ｃのバネ力とに応じてボール１８ｂの一部を貫通孔１８ａの先端部から一定圧力で突出させる。突起状ガイド１８は、鏡筒本体１１の側壁部に貫装され、セットビス２０によって固定されることで、ボール１８ｂをスライダ１６に設けられた溝１６ｃに対して所定圧力で当接させるとともに、先端部を溝１６ｃに嵌装させている。これによって、突起状ガイド１８は、溝１６ｃを介してスライダ１６を支持するとともに、ガイド１７に対するスライダ１６の、中軸に垂直な方向におけるガタツキを防止している。
【００２７】
板バネ１９は、先端下面部に突起１９ａが設けられており、固定ビス２１によって鏡筒本体１１の側壁部に固定されることで、突起１９ａをスライダ１６の上面部に中軸方向と平行に形成された図示しない溝に内設させている。この突起１９ａが内設される溝には、プリズム１５Ａ〜１５Ｃの配置に応じて複数の小穴が設けられており、ツマミ１６ａが中軸方向に押し引き操作された場合、突起１９ａが溝上の小穴に係入されるごとに、その小穴に対応付けられたプリズム１５Ａ〜１５Ｃのいずれか１つが導入口１１ａおよび結像レンズ１２の上部に位置決めされる。その後、突起１９ａは、ツマミ１６ａをやや強めに押し引き操作することで、小穴から容易に係脱される。なお、板バネ１９は、突起状ガイド１８の先端上部を衝とし、突起１９ａによってスライダ１６を下方向に抑えている。これによって、スライダ１６は、より安定した状態で中軸方向にスライド可能とされている。
【００２８】
ここで、中軸方向の鏡筒本体１１の長さは、導入口１１ａと導出口１１ｂ，１１ｃとにおける最大開口径をもとに決定されている。具体的には、例えば導出口１１ｃが最大開口である場合、鏡筒本体１１の長さは、端面１０ａを当接させて機器接続部１０を取り付けるために必要な領域を導出口１１ｃの周囲に過不足なく確保できる長さにされる。また、例えば導入口１１ａが最大開口である場合には、取付部１１ｅを形成するために必要な領域を導入口１１ａの周囲に過不足なく確保できる長さにされる。これによって、鏡筒本体１１の長さは、最大開口径よりわずかに大きく設定されるとともに、少なくともスライダ１６によるプリズム１５Ａ〜１５Ｃの可動範囲より短くされている。
【００２９】
従来の顕微鏡鏡筒では、例えば特許文献１および２に示されるように、ガイド１７に相当する案内部材は、鏡筒の本体枠底部の両端部に設けられた支持部によって支持されている。このため、鏡筒本体１１に相当する本体枠を案内部材の長さ以下にすることができず、またプリズム１５Ａ〜１５Ｃに相当する光学部材の可動範囲より短くすることができなかった。これに対して鏡筒８では、左右両側の支持部１１ｄを鏡筒本体１１の中軸方向における中央部に設けたことで、鏡筒本体１１の長さはスライダ１６によるプリズム１５Ａ〜１５Ｃの可動範囲より短くされている。
【００３０】
また、このように鏡筒本体１１の長さを短縮化させたことで、鏡筒８では、鏡筒本体１１の肉厚を従来の本体枠よりも厚肉化することが可能となり、これによって、鏡筒本体１１の剛性が向上されている。従来の顕微鏡鏡筒では、剛性を向上させるために本体枠を厚肉化した場合、その分だけ鏡筒の重量が増加され、顕微鏡本体に対する荷重が増大されることで、顕微鏡本体に生じる歪が拡大され、観察像の像質の劣化等が増長される。このため、従来の顕微鏡鏡筒では、本体枠を厚肉化することは困難であった。
【００３１】
これに対して鏡筒８では、鏡筒本体１１の長さが従来よりも短縮化されているため、厚肉化による重量の増加を抑制することができ、顕微鏡本体３および投光管４に対する荷重の増大を抑制することができる。構成条件によっては、鏡筒８を軽量化することもできる。また、鏡筒本体１１を厚肉化することで、その剛性を向上させることができ、導出口１１ｃ上に搭載させるカメラや測定機等の搭載機器を重量化させた場合にも、鏡筒本体１１と、その内部に設けられた結像レンズ１２、プリズム１５Ａ〜１５Ｃ等とに発生する歪を抑制あるいは軽減することができる。さらに、鏡筒本体１１は、導入口１１ａ、導出口１１ｂ，１１ｃおよび支持部１１ｄが一体形成されているため、厚肉化の効果以上に剛性が一層向上されている。また、鏡筒本体１１が一体形成されることで、例えば特許文献１に示されるように、鏡筒の本体枠が２つの部材で構成される場合に比べ、その組立工数や部品点数の削減などが可能となり、コスト低減を図ることができる。
【００３２】
なお、カバー１４は、鏡筒本体１１の両端部に着脱自在に取り付けられ、鏡筒本体１１から突出された光路切換機構１３の突出部を覆い、保護している。ただし、ツマミ１６ａの先端部は、カバー１４を介して外部に突出され、カバー１４を取り付けたまま外部から押し引き操作可能とされている。また、カバー１４は、軽量材料によって形成されており、鏡筒８の重量化に対する影響はほとんどないものとされている。
【００３３】
以上説明したように、本実施の形態にかかる顕微鏡鏡筒としての鏡筒８では、一体形成された筒状枠体であって、導入口１１ａと、導出口１１ｂ，１１ｃと、光路切換機構１３を支持する支持部１１ｄとを側壁中央部に有した本体枠としての鏡筒本体１１を備えているため、従来の顕微鏡鏡筒における本体枠に比して鏡筒本体１１の長さを短くすることができる。そして、鏡筒本体１１を厚肉化し、この厚肉化による重量の増加を抑制しつつ、剛性を向上させることができる。これによって、鏡筒８では、鏡筒本体１１上に搭載される搭載機器が重量化される場合にも、鏡筒本体１１と、その内部の光学部材等に発生する歪を抑制することができるとともに、顕微鏡本体３および投光管４に対する荷重の増大を抑制することができる。
【００３４】
（変形例）
つぎに、本実施の形態の変形例にかかる顕微鏡鏡筒について説明する。図５および図６は、本変形例にかかる顕微鏡鏡筒としての鏡筒２８の要部構成を示す図である。図５は、右側面から見た図であり、図６は、正面（図５における左側面）から見た図であって、それぞれ鏡筒２８の内部構成と一部断面構成とを示している。これらの図に示すように、鏡筒２８は、鏡筒８の構成をもとに、鏡筒本体１１および光路切換機構１３に替えて鏡筒本体３１および光路切換機構３３を備える。その他の構成は鏡筒８と同じであり、同一構成部分には同一符号を付して示している。なお、鏡筒２８は、鏡筒８に換えて顕微鏡１００に搭載されるものである。
【００３５】
鏡筒本体３１は、鏡筒本体１１の構成をもとに、光路切換機構１３を支持する支持部１１ｄに替えて光路切換機構３３を支持する支持部３１ｄが設けられるとともに、突起状ガイド１８に代わる突起状ガイド３８がさらに設けられている。鏡筒本体３１は、左右方向が開口され、一体形成された筒状枠体であって、側壁中央部には、導入口１１ａ、支持部３１ｄ、導出口１１ｂ，１１ｃおよび突起状ガイド３８が周方向に列設されている。
【００３６】
光路切換機構３３は、光路切換機構１３の構成をもとに、スライダ１６に替えてスライダ３６を備え、ガイド１７が省かれている。スライダ３６は、スライダ１６の構成をもとに、ガイド１７との連結部１６ｂに替えて支持部３１ｄとの連結部３６ｂが設けられている。連結部３６ｂには、ツマミ１６ａと平行に溝３６ｄが形成され、支持部３１ｄには、鏡筒本体３１の中軸と平行に凸縁部３１ｆが形成されている。
【００３７】
スライダ３６は、この凸縁部３１ｆを溝３６ｄ内に挿設させて内接させることで、支持部３１ｄに支持されるとともに、支持部３１ｄによって中軸方向に移動自在に案内される。このため、スライダ３６は、スライダ１６と同様に、ツマミ１６ａが中軸方向に押し引き操作されることで、プリズム１５Ａ〜１５Ｃを導入口１１ａおよび結像レンズ１２上に択一的に配置させる。これによって、光路切換機構３３は、光路切換機構１３と同様に、導入口１１ａから導入された観察光の光路を選択的に切り換え、この観察光を導出口１１ｂ，１１ｃの少なくとも一方へ導くことができる。
【００３８】
突起状ガイド３８は、鏡筒本体３１に一体に凸設されており、その内部には、突起状ガイド１８と同様に貫通孔１８ａが形成され、ボール１８ｂ、バネ１８ｃおよびビス１８ｄが設けられている。突起状ガイド３８は、ボール１８ｂをスライダ３６に設けられた溝１６ｃに対して所定圧力で当接させるとともに、先端部を溝１６ｃに嵌装させている。これによって、突起状ガイド３８は、突起状ガイド１８と同様に、溝１６ｃを介してスライダ３６を支持するとともに、支持部３１ｄに対するスライダ３６の、中軸に垂直な方向におけるガタツキを防止している。
【００３９】
以上説明したように、本変形例にかかる顕微鏡鏡筒としての鏡筒２８では、鏡筒本体１１と同様に一体形成された筒状枠体であって、導入口１１ａと、導出口１１ｂ，１１ｃと、光路切換機構３３を支持する支持部３１ｄとを側壁中央部に有した本体枠としての鏡筒本体３１を備えているため、鏡筒８と同様の効果を奏することができる。また、鏡筒２８では、支持部３１ｄがスライダ３６を支持するとともに案内するようにしているため、鏡筒８に比して部品点数および組立工数の削減を図ることができる。
【００４０】
ここまで、本発明を実施する最良の形態を実施の形態として説明したが、本発明は、上述した実施の形態に限定されず、本発明の趣旨を逸脱しない範囲であれば、種々の変形が可能である。
【００４１】
例えば、上述した実施の形態では、鏡筒本体１１，３１は、導出口を２つ備えるものとしたが、２つに限らず３つ以上備えることもできる。その場合、光路切換機構は、各導出口あるいは導出口の所望の組み合わせごとに観察光の光路を形成する光学部材を備え、この光学部材を導入口１１ａおよび結像レンズ１２に対して択一的に配置させる機構とすればよい。
【００４２】
また、上述した実施の形態では、鏡筒本体１１，３１は、導出口１１ｂ，１１ｃを周方向に列設して備えるものとしたが、周方向に限らず中軸方向に配列しても構わない。その場合、本体枠としての鏡筒本体の長さは、中軸方向における導出口の配列長、つまり中軸方向に配列した導出口群の一端から他端までの長さをもとに決定すればよい。
【００４３】
また、上述した実施の形態では、光路切換機構１３，３３は、それぞれスライダ１６，３６を中軸方向に移動させることでプリズム１５Ａ〜１５Ｃの配置を切り換えるものとしたが、このようなスライド式の切換機構に限らず、ターレット等を用いた回転式の切換機構としてもよい。その場合にも、回転式の切換機構を支持する支持部を鏡筒本体の側壁中央部に設けることで、上述した実施の形態と同様の効果を奏することができる。
【図面の簡単な説明】
【００４４】
【図１】本発明の実施の形態にかかる顕微鏡鏡筒を用いた顕微鏡の構成を示す図である。
【図２】実施の形態にかかる顕微鏡鏡筒の構成を示す図である。
【図３】実施の形態にかかる顕微鏡鏡筒の構成を示す図である。
【図４−１】光路形成用のプリズムの構成を示す図である。
【図４−２】光路形成用のプリズムの構成を示す図である。
【図４−３】光路形成用のプリズムの構成を示す図である。
【図５】実施の形態の変形例にかかる顕微鏡鏡筒の構成を示す図である。
【図６】実施の形態の変形例にかかる顕微鏡鏡筒の構成を示す図である。
【符号の説明】
【００４５】
１    標本
２    ステージ
３    顕微鏡本体
３ａ    ステージホルダ
３ｂ    焦準ハンドル
４    投光管
５    ランプハウス
６    レボルバ
７    対物レンズ
８    鏡筒
９    双眼部
９ａ    接眼レンズ
９ｂ    先端部
１０    機器接続部
１０ａ    端面
１１    鏡筒本体
１１ａ    導入口
１１ｂ，１１ｃ    導出口
１１ｄ    支持部
１１ｅ    取付部
１２    結像レンズ
１３    光路切換機構
１４    カバー
１５Ａ〜１５Ｃ，１５ａ，１５ｂ    プリズム
１５ｃ    接合面
１６    スライダ
１６ａ    ツマミ
１６ｂ    連結部
１６ｃ    溝
１７    ガイド
１８    突起状ガイド
１８ａ    貫通孔
１８ｂ    ボール
１８ｃ    バネ
１８ｄ    ビス
１９    板バネ
１９ａ    突起
２０    セットビス
２１    固定ビス
２８    鏡筒
３１    鏡筒本体
３１ｄ    支持部
３１ｆ    凸縁部
３３    光路切換機構
３６    スライダ
３６ｂ    連結部
３６ｄ    溝
３８    突起状ガイド
１００    顕微鏡
【図１】
2008191471.tif 000003
【図２】
2008191471.tif 000004
【図３】
2008191471.tif 000005
【図４−１】
2008191471.tif 000006
【図４−２】
2008191471.tif 000007
【図４−３】
2008191471.tif 000008
【図５】
2008191471.tif 000009
【図６】
2008191471.tif 000010